(57)【要約】  本開示は、同期指示方法及び機器を提供する。この方法において、隣接セルの時間基準となる１つ又は複数のサービングセルを指示する同期指示情報をネットワーク側から受信することと、前記同期指示情報に基づいて、対応するサービングセルの時間を、隣接セルの時間基準とすることとを含む。
2021519003.tif 000002
【特許請求の範囲】
【請求項１】
ユーザ機器に応用される同期指示方法において、
隣接セルの時間基準となる１つ又は複数のサービングセルを指示する同期指示情報をネットワーク側から受信することと、
前記同期指示情報に基づいて、対応するサービングセルの時間を、隣接セルの時間基準とすることとを含む、同期指示方法。
【請求項２】
前記の同期指示情報をネットワーク側から受信することは、
前記同期指示情報を含むブロードキャストメッセージを前記ネットワーク側から受信することを含み、
前記の前記同期指示情報に基づいて、対応するサービングセルの時間を、隣接セルの時間基準とすることは、
前記同期指示情報がＴｒｕｅを指示する場合、現在のサービングセル又はネットワーク側によって設定されたサービングセルを、前記ブロードキャストメッセージを受信する周波数ポイントである現在の周波数ポイントの隣接セルの時間基準とすることを含む、請求項１に記載の方法。
【請求項３】
前記の同期指示情報をネットワーク側から受信することは、
前記同期指示情報を含む専有シグナリングを前記ネットワーク側から受信することを含み、
前記の前記同期指示情報に基づいて、対応するサービングセルの時間を、隣接セルの時間基準とすることは、
前記同期指示情報がＴｒｕｅを指示する場合、ネットワーク側によって設定されたサービングセルを、現在のネットワーク側によって設定された測定対象周波数ポイントの全て又は一部の隣接セルの時間基準とすることを含む、請求項１に記載の方法。
【請求項４】
前記同期指示情報は、サービングセル利用時間同期ｕｓｅＳｅｒｖｉｎｇＣｅｌｌＴｉｍｉｎｇＦｏｒＳｙｎｃフィールド又はほかの同期指示情報フィールドである、請求項２又は３に記載の方法。
【請求項５】
前記の隣接セルの時間基準となる１つ又は複数のサービングセルは、
ネットワーク側によって設定される１つ又は複数のサービングセル、ネットワーク側によって設定される１つ又は複数の特別セルＳｐＣｅｌｌ、ネットワーク側によって設定されるセルリスト内の１つ又は複数のセル、周波数リスト内の周波数又は周波数グループに対応するセル、及び、測定対象ＭＯに設定される参照サービングセル、のいずれか１つ又は複数の組み合わせである、請求項１に記載の方法。
【請求項６】
前記のネットワーク側によって設定される１つ又は複数のサービングセルの設定方式は、
ネットワーク側によって物理セル識別子ＰＣＩ及び周波数ポイントで指示される１つ又は複数のサービングセル、ネットワーク側によってセルインデックスｃｅｌｌ  ｉｎｄｅｘで指示される１つ又は複数のサービングセル、及び、ネットワーク側によってセルグローバル識別子ＥＣＧＩで指示される１つ又は複数のサービングセル、のいずれか１つ又は複数の組み合わせを含む、請求項５に記載の方法。
【請求項７】
前記のネットワーク側によって設定される１つ又は複数の特別セルＳｐＣｅｌｌの設定方式は、
ネットワーク側によってデフォルトにされるプライマリセルＰＣｅｌｌ及び／又はプライマリセカンダリセルＰＳＣｅｌｌ、ネットワーク側によって設定されるＰＣｅｌｌ及び／又はＰＳＣｅｌｌ、ネットワーク側によってＰＣＩ及び周波数ポイントで指示されるＰＣｅｌｌ及び／又はＰＳＣｅｌｌ、ネットワーク側によってｃｅｌｌ  ｉｎｄｅｘで指示されるＰＣｅｌｌ及び／又はＰＳＣｅｌｌ、及び、ネットワーク側によってＥＣＧＩで指示されるＰＣｅｌｌ及び／又はＰＳＣｅｌｌ、のいずれか１つ又は複数の組み合わせを含む、請求項５に記載の方法。
【請求項８】
前記のセルリストのうちのセルの設定方式は、
ネットワーク側によってＰＣＩ及び周波数ポイントで指示されるサービングセル、ネットワーク側によってｃｅｌｌ  ｉｎｄｅｘで指示されるサービングセル、ネットワーク側によってＥＣＧＩで指示されるサービングセル、ネットワーク側によってデフォルトされるプライマリセルＰＣｅｌｌ及び／又はプライマリセカンダリセルＰＳＣｅｌｌ、及び、ネットワーク側によって設定されるプライマリセルＰＣｅｌｌ及び／又はプライマリセカンダリセルＰＳＣｅｌｌ、のいずれか１つ又は複数の組み合わせを含む、請求項５に記載の方法。
【請求項９】
前記周波数リストのうち参照可能な周波数又は周波数グループの中心周波数ポイントをリストする、請求項５に記載の方法。
【請求項１０】
前記同期指示情報は、同期指示、及び、時間基準となるサービングセルに対応する情報を含む、請求項１〜９のいずれか１項に記載の方法。
【請求項１１】
ネットワーク側機器に応用される同期指示方法において、
隣接セルの時間基準となる１つ又は複数のサービングセルを指示する同期指示情報をユーザ機器に送信することを含む、同期指示方法。
【請求項１２】
前記の同期指示情報をＵＥに送信することは、
前記同期指示情報を含むブロードキャストメッセージを前記ユーザ機器に送信すること、又は、前記同期指示情報を含む専有シグナリングを前記ユーザ機器に送信することを含む、請求項１１に記載の方法。
【請求項１３】
前記同期指示情報は、サービングセル利用時間同期ｕｓｅＳｅｒｖｉｎｇＣｅｌｌＴｉｍｉｎｇＦｏｒＳｙｎｃフィールド又はほかの同期指示情報フィールドである、請求項１２に記載の方法。
【請求項１４】
前記の隣接セルの時間基準となる１つ又は複数のサービングセルは、
ネットワーク側によって設定される１つ又は複数のサービングセル、ネットワーク側によって設定される１つ又は複数の特別セルＳｐＣｅｌｌ、ネットワーク側によって設定されるセルリスト内の１つ又は複数のセル、周波数リスト内の周波数又は周波数グループに対応するセル、及び、測定対象ＭＯに設定される参照サービングセル、のいずれか１つ又は複数の組み合わせである、請求項１１に記載の方法。
【請求項１５】
前記のネットワーク側によって設定される１つ又は複数のサービングセルの設定方式は、
前記ネットワーク側によって物理セル識別子ＰＣＩ及び周波数ポイントで指示される１つ又は複数のサービングセル、前記ネットワーク側によってセルインデックスｃｅｌｌ  ｉｎｄｅｘで指示される１つ又は複数のサービングセル、及び、前記ネットワーク側によってセルグローバル識別子ＥＣＧＩで指示される１つ又は複数のサービングセル、のいずれか１つ又は複数の組み合わせを含む、請求項１４に記載の方法。
【請求項１６】
前記のネットワーク側によって設定される１つ又は複数の特別セルＳｐＣｅｌｌの設定方式は、
前記ネットワーク側によってデフォルトにされるプライマリセルＰＣｅｌｌ及び／又はプライマリセカンダリセルＰＳＣｅｌｌ、前記ネットワーク側によって設定されるＰＣｅｌｌ及び／又はＰＳＣｅｌｌ、前記ネットワーク側によってＰＣＩ及び周波数ポイントで指示されるＰＣｅｌｌ及び／又はＰＳＣｅｌｌ、前記ネットワーク側によってｃｅｌｌ  ｉｎｄｅｘで指示されるＰＣｅｌｌ及び／又はＰＳＣｅｌｌ、及び、前記ネットワーク側によってＥＣＧＩで指示されるＰＣｅｌｌ及び／又はＰＳＣｅｌｌ、のいずれか１つ又は複数の組み合わせを含む、請求項１４に記載の方法。
【請求項１７】
前記のセルリストのうちのセルの設定方式は、
前記ネットワーク側によってＰＣＩ及び周波数ポイントで指示されるサービングセル、前記ネットワーク側によってｃｅｌｌ  ｉｎｄｅｘで指示されるサービングセル、前記ネットワーク側によってＥＣＧＩで指示されるサービングセル、前記ネットワーク側によってデフォルトされるプライマリセルＰＣｅｌｌ及び／又はプライマリセカンダリセルＰＳＣｅｌｌ、及び、前記ネットワーク側によって設定されるプライマリセルＰＣｅｌｌ及び／又はプライマリセカンダリセルＰＳＣｅｌｌ、のいずれか１つ又は複数の組み合わせを含む、請求項１４に記載の方法。
【請求項１８】
前記周波数リストのうち参照可能な周波数又は周波数グループの中心周波数ポイントをリストする、請求項１４に記載の方法。
【請求項１９】
前記同期指示情報は、同期指示、及び、時間基準となるサービングセルに対応する情報を含む、請求項１１〜１８のいずれか１項に記載の方法。
【請求項２０】
隣接セルの時間基準となる１つ又は複数のサービングセルを指示する同期指示情報をネットワーク側から受信するための受信モジュールと、
前記同期指示情報に基づいて、対応するサービングセルの時間を、隣接セルの時間基準とするための処理モジュールとを含む、ユーザ機器。
【請求項２１】
前記受信モジュールは、更に、前記同期指示情報を含むブロードキャストメッセージを前記ネットワーク側から受信することに用いられ、
前記処理モジュールは、更に、前記同期指示情報がＴｒｕｅを指示する場合、現在のサービングセル又はネットワーク側によって設定されたサービングセルを、前記ブロードキャストメッセージを受信する周波数ポイントである現在の周波数ポイントの隣接セルの時間基準とすることに用いられる、請求項２０に記載のユーザ機器。
【請求項２２】
前記受信モジュールは、更に、前記同期指示情報を含む専有シグナリングを前記ネットワーク側から受信することに用いられ、
前記処理モジュールは、更に、前記同期指示情報がＴｒｕｅを指示する場合、ネットワーク側によって設定されたサービングセルを、現在のネットワーク側によって設定された測定対象周波数ポイントの全て又は一部の隣接セルの時間基準とすることに用いられる、請求項２０に記載のユーザ機器。
【請求項２３】
前記の隣接セルの時間基準となる１つ又は複数のサービングセルは、
ネットワーク側によって設定される１つ又は複数のサービングセル、ネットワーク側によって設定される１つ又は複数の特別セルＳｐＣｅｌｌ、ネットワーク側によって設定されるセルリスト内の１つ又は複数のセル、周波数リスト内の周波数又は周波数グループに対応するセル、及び、測定対象ＭＯに設定される参照サービングセル、のいずれか１つ又は複数の組み合わせである、請求項２０に記載のユーザ機器。
【請求項２４】
隣接セルの時間基準となる１つ又は複数のサービングセルを指示する同期指示情報をユーザ機器に送信するための送信モジュールを含む、ネットワーク側機器。
【請求項２５】
前記送信モジュールは、更に、前記同期指示情報を含むブロードキャストメッセージを前記ユーザ機器に送信すること、又は、前記同期指示情報を含む専有シグナリングを前記ユーザ機器に送信することに用いられる、請求項２４に記載のネットワーク側機器。
【請求項２６】
前記の隣接セルの時間基準となる１つ又は複数のサービングセルは、
ネットワーク側によって設定される１つ又は複数のサービングセル、ネットワーク側によって設定される１つ又は複数の特別セルＳｐＣｅｌｌ、ネットワーク側によって設定されるセルリスト内の１つ又は複数のセル、周波数リスト内の１つ又は複数の周波数に対応するセル、及び、測定対象ＭＯに設定される参照サービングセル、のいずれか１つ又は複数の組み合わせである、請求項２４に記載のネットワーク側機器。
【請求項２７】
プロセッサと、メモリと、前記メモリに記憶され、前記プロセッサで動作するコンピュータプログラムとを含むユーザ機器であって、
前記コンピュータプログラムが前記プロセッサによって実行されると、請求項１乃至１０のいずれか１項に記載の同期指示方法のステップが実現される、ユーザ機器。
【請求項２８】
プロセッサと、メモリと、前記メモリに記憶され、前記プロセッサで動作するコンピュータプログラムとを含むネットワーク側機器であって、
前記コンピュータプログラムが前記プロセッサによって実行されると、請求項１１乃至１９のいずれか１項に記載の同期指示方法のステップが実現される、ネットワーク側機器。
【請求項２９】
コンピュータプログラムが記憶されているコンピュータ読み取り可能な記憶媒体であって、
前記コンピュータプログラムがプロセッサによって実行されると、請求項１乃至１０のいずれか１項に記載の同期指示方法のステップが実現され、又は、請求項１１乃至１９のいずれか１項に記載の同期指示方法のステップが実現される、コンピュータ読み取り可能な記憶媒体。
【発明の詳細な説明】
【技術分野】
【０００１】
本願は、２０１８年１月１１日に中国特許庁に提出された中国特許出願２０１８１００２７２２２．０の優先権を主張し、その全ての内容が援用によりここに取り込まれる。
【０００２】
本開示は、通信技術分野に係り、特に同期指示方法及び機器に係る。
【背景技術】
【０００３】
ユーザ機器（Ｕｓｅｒ  Ｅｑｕｉｐｍｅｎｔ：ＵＥ）がキャリアアグリゲーション（Ｃａｒｒｉｅｒ  Ａｇｇｒｅｇａｔｉｏｎ：ＣＡ）又はデュアルコネクティビティ（Ｄｕａｌ  Ｃｏｎｎｅｃｔｉｖｉｔｙ：ＤＣ）の構成にあるとき、異なるサービングセル（ｓｅｒｖｉｎｇ  ｃｅｌｌ）が存在する。しかしながら、ＵＥがどのサービングセルの時間を隣接セル同期又は測定の時間基準とするかは、従来技術において設定されていない。
【発明の概要】
【発明が解決しようとする課題】
【０００４】
本開示の実施例の１つの目的は、同期指示方法及び機器を提供することによって、ＵＥが隣接セルの時間基準としてどのサービングセルを利用できるかについて従来技術では設定されていないという問題を解決しようとする。
【課題を解決するための手段】
【０００５】
第１方面において、ユーザ機器に応用される同期指示方法を提供する。前記方法において、隣接セルの時間基準となる１つ又は複数のサービングセルを指示する同期指示情報をネットワーク側から受信することと、前記同期指示情報に基づいて、対応するサービングセルの時間を、隣接セルの時間基準とすることとを含む。
【０００６】
第２方面において、ネットワーク側機器に応用される同期指示方法を更に提供する。前記方法において、隣接セルの時間基準となる１つ又は複数のサービングセルを指示する同期指示情報をユーザ機器に送信することを含む。
【０００７】
第３方面において、隣接セルの時間基準となる１つ又は複数のサービングセルを指示する同期指示情報をネットワーク側から受信するための受信モジュールと、前記同期指示情報に基づいて、対応するサービングセルの時間を、隣接セルの時間基準とするための処理モジュールとを含むユーザ機器を更に提供する。
【０００８】
第４方面において、隣接セルの時間基準となる１つ又は複数のサービングセルを指示する同期指示情報をユーザ機器に送信するための送信モジュールを含むネットワーク側機器を更に提供する。
【０００９】
第５方面において、プロセッサと、メモリと、前記メモリに記憶され、前記プロセッサで動作するコンピュータプログラムとを含むユーザ機器を更に提供し、前記コンピュータプログラムが前記プロセッサによって実行されると、上記の同期指示方法のステップが実現される。
【００１０】
第６方面において、プロセッサと、メモリと、前記メモリに記憶され、前記プロセッサで動作するコンピュータプログラムとを含むネットワーク側機器を更に提供し、前記コンピュータプログラムが前記プロセッサによって実行されると、上記の同期指示方法のステップが実現される。
【００１１】
第７方面において、コンピュータプログラムが記憶されているコンピュータ読み取り可能な記憶媒体を更に提供し、前記コンピュータプログラムがプロセッサによって実行されると、第１方面に記載の同期指示方法のステップ、又は、第２方面に記載の同期指示方法のステップが実現される。
【発明の効果】
【００１２】
このように、隣接セルの時間基準となる１つ又は複数のサービングセルを同期指示情報で指示することにより、ＵＥは、この同期指示情報に基づいて、対応するサービングセルの時間を隣接セルの時間基準とすることができ、隣接セルとサービングセルとが同期指示されるか否かについての明確な指定が実現され、ＵＥがブラインド検出なしに隣接セルを測定することが容易となり、ＵＥの消費電力が節約される。
【００１３】
下記の選択可能な実施形態の詳細の記載を読むことにより、ほかの利点やメリットは、当業者にとって明らかになる。図面は、単に、選択可能な実施形態を示すという目的に用いられるものであり、本開示に対する限定に見なされない。全ての図面を通して、同一の参照符号で同一の構成要素を示す。
【図面の簡単な説明】
【００１４】
【図１】本開示の実施例の無線通信システムのアーキテクチャーを示す図である。
【図２】本開示の実施例の同期指示方法のフローチャートその１である。
【図３】本開示の実施例の同期指示方法のフローチャートその２である。
【図４】本開示の実施例のユーザ機器の構造図の１つである。
【図５】本開示の実施例のネットワーク側機器の構造図その１である。
【図６】本開示の実施例のユーザ機器の構造図の１つである。
【図７】本開示の実施例のネットワーク側機器の構造図その２である。
【発明を実施するための形態】
【００１５】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をすることなく為しえる全てのほかの実施例は、いずれも本開示の保護範囲に属するものである。
【００１６】
本願の明細書及び特許請求の範囲における「含む」及びそのあらゆる変形は、非排他的に含むことを意味する。例えば、一連のステップ又はユニットを含むプロセス、方法、システム、製品又は機器は、明確に列挙されているステップ又はユニットに限られず、明確に列挙されていないものや、これらのプロセス、方法、製品又は機器に固有のほかのステップ又はユニットを含んでもよい。また、明細書及び特許請求の範囲に用いられる「及び／又は」は、その前後の少なくとも１つを表す。例えばＡ及び／又はＢは、Ａのみを含むケース、Ｂのみを含むケース、ＡとＢの両方を含むケースの３種類のケースを含む。
【００１７】
本開示の実施例において、「例示的」又は「例えば」などの用語は、例、例証又は説明を表すことに用いられる。本開示の実施例において「例示的」又は「例えば」のように記載されるあらゆる実施例や設計手段は、ほかの実施例や設計手段より好適であり、又は利点を有するように解釈されるべきではない。正確に言うと、「例示的」又は「例えば」などの用語を使用することは、関連概念を具体的な形態で提示することを目的とする。
【００１８】
本開示の実施例の技術手段をよりよく理解するために、まず以下の２つの技術的ポイントを紹介する。
【００１９】
（１）ＲＡＮ１（ＲＡＮ１は、無線インターフェース物理層である）物理層プロトコル（ａｇｒｅｅｍｅｎｔ）に関する紹介：
同期情報に関連する指示をＵＥに提供する。キャリアに対する同期指示がある場合、ＵＥは、サービングセル（ｓｅｒｖｉｎｇ  ｃｅｌｌ）を基準時間として、隣接セルの同期信号ブロック（ＳＳＢ）のインデックスを導出することができる。
【００２０】
（２）ＲＡＮ２（ＲＡＮ２は、無線インターフェース層２及び層３の無線リソース管理である）測定対象（Ｍｅａｓｕｒｅｍｅｎｔ  Ｏｂｊｅｃｔ：ＭＯ）でキャプチャーする（ｃａｐｔｕｒｅ）内容に関する紹介：
ＵＥがサービングセルの時間を利用して隣接セルのＳＳＢのインデックスを導出できるかを指示する。例えば、フィールド「ｕｓｅＳｅｒｖｉｎｇＣｅｌｌＴｉｍｉｎｇＦｏｒＳｙｎｃ（サービングセル利用時間同期）」によって指示するが、このフィールドは、単に１つの情報エレメント（ＩＥ）フィールドであり、それに対する解釈及び説明はない。本フィールドは、サービングセル時間情報を用いて他のセル／測定を導出するための時間同期指示として、この名前を用いることを限定しない。
【００２１】
以下、本開示の実施例について図面を参照して紹介する。本開示の実施例の同期指示方法及び機器は、無線通信システムに適用可能である。この無線通信システムは、第５世代（５ｔｈ  Ｇｅｎｅｒａｔｉｏｎ：５Ｇ）移動通信技術を採用したシステム（以下、単に５Ｇシステムという）、進化型ロングタームエボリューション（Ｅｖｏｌｖｅｄ  Ｌｏｎｇ  Ｔｅｒｍ  Ｅｖｏｌｕｔｉｏｎ：ｅＬＴＥ）システム、又は後続の進化型通信システムである。図１を参照すると、本開示の実施例の無線通信システムのアーキテクチャーを示す図である。図１に示すように、この無線通信システムは、ネットワーク側機器１０とユーザ機器を含む。例えばユーザ機器は、ＵＥ１１と記し、ネットワーク側機器１０と通信可能である。実際の応用では、上記各機器間の接続は、無線接続でもよいが、各機器間の接続関係を直感的に示す便宜上、図１では実線で示している。
【００２２】
なお、上述した通信システムに複数のＵＥを含んでもよく、ネットワーク側機器は、複数のＵＥとの通信（シグナリング伝送又はデータ伝送）が可能である。
【００２３】
本開示の実施例のネットワーク側機器は、基地局であってもよい。このネットワーク側機器は、通常使用される基地局であってもよく、進化型基地局（ｅｖｏｌｖｅｄ  ｎｏｄｅ  ｂａｓｅ  ｓｔａｔｉｏｎ：ｅＮＢ）であってもよく、更に５Ｇシステムにおけるネットワーク側機器（例えば、次世代基地局（ｎｅｘｔ  ｇｅｎｅｒａｔｉｏｎ  ｎｏｄｅ  ｂａｓｅ  ｓｔａｔｉｏｎ：ｇＮＢ）又は送受信ポイント（ｔｒａｎｓｍｉｓｓｉｏｎ  ａｎｄ  ｒｅｃｅｐｔｉｏｎ  ｐｏｉｎｔ：ＴＲＰ））等の機器であってもよい。
【００２４】
本開示の実施例のユーザ機器は、携帯電話、タブレットパソコン、ノートパソコン、ウルトラ・モバイル・パーソナル・コンピュータ（Ｕｌｔｒａ−Ｍｏｂｉｌｅ  Ｐｅｒｓｏｎａｌ  Ｃｏｍｐｕｔｅｒ：ＵＭＰＣ）、ネットブック、又は携帯情報端末（Ｐｅｒｓｏｎａｌ  Ｄｉｇｉｔａｌ  Ａｓｓｉｓｔａｎｔ：ＰＤＡ）などである。
【００２５】
図２を参照し、本開示の実施例の同期指示方法のフローが示されている。この方法の実行主体は、ＵＥであり、具体的なステップは、以下のとおりである。
【００２６】
ステップ２０１において、隣接セルの時間基準となる１つ又は複数のサービングセルを指示する同期指示情報をネットワーク側から受信する。
【００２７】
例えば、ネットワーク側から送信されたブロードキャストメッセージ又は専有シグナリングを受信する。このブロードキャストメッセージ又は専有シグナリングは、同期指示情報を含む。
【００２８】
選択可能に、同期指示情報は、同期指示、及び、時間基準となるサービングセルに対応する情報を含む。ここで、同期指示は、時間同期が必要であるかを指示することに用いられ、サービングセルの情報は、セル識別子などである。
【００２９】
ステップ２０２において、同期指示情報に基づいて、対応するサービングセルの時間を、隣接セルの時間基準（ｔｉｍｉｎｇ  ｒｅｆｅｒｅｎｃｅ）とする。
【００３０】
上記時間基準は、時間同期の基準に相当し、すなわち、決定されたサービングセルの時間に基づいて各隣接セルの時間を同期させる。
【００３１】
例えば、同期指示情報は、ブロードキャストメッセージに付帯される。同期指示情報がＴｒｕｅを指示する場合、現在のサービングセル又はネットワーク側によって設定されるサービングセルを現在の周波数ポイントの隣接セルの時間基準とする。選択可能に、この同期指示情報は、サービングセルを利用した時間同期（ｕｓｅＳｅｒｖｉｎｇＣｅｌｌＴｉｍｉｎｇＦｏｒＳｙｎｃ）フィールド又は他の同期指示情報フィールドである。ここで、現在の周波数ポイントは、ＵＥがこのブロードキャストメッセージを読む周波数ポイントを指す。
【００３２】
また、例えば、同期指示情報は、専有シグナリングに付帯される。同期指示情報がＴｒｕｅを指示する場合、ネットワーク側によって設定されるサービングセルを、現在のネットワーク側によって設定される測定対象周波数ポイントの全て又は一部の隣接セルの時間基準とする。選択可能に、同期指示情報は、ｕｓｅＳｅｒｖｉｎｇＣｅｌｌＴｉｍｉｎｇＦｏｒＳｙｎｃフィールド又は他の同期指示情報フィールドである。
【００３３】
本開示の実施例において、選択可能に、隣接セルの時間基準となる１つ又は複数のサービングセルは、ネットワーク側によって設定される１つ又は複数のサービングセル、ネットワーク側によって設定される１つ又は複数の特別セル（ＳｐＣｅｌｌ）、ネットワーク側によって設定されるセルリスト内の１つ又は複数のセル、周波数リスト内の周波数又は周波数グループに対応するセル、及び、測定対象（Ｍｅａｓｕｒｅｍｅｎｔ  Ｏｂｊｅｃｔ：ＭＯ）に設定される参照サービングセル、のいずれか１つ又は複数の組み合わせである。このＳｐＣｅｌｌは、プライマリセル（ＰＣｅｌｌ）とプライマリセカンダリセル（ＰＳＣｅｌｌ）を含む。このＰＣｅｌｌは、ＳｐＣｅｌｌのプライマリノード（ＰＣｅｌｌ＝ＳｐＣｅｌｌ  ｏｆ  ＭＮ）であり、ＰＳＣｅｌｌは、ＳｐＣｅｌｌのセカンダリノード（ＰＳＣｅｌｌ＝ＳｐＣｅｌｌ  ｏｆ  ＳＮ）である。このＭＯに設定される参照サービングセルは、このサービングセルのＲＡＴ仕様とは同一である全てのセル（同一周波数及び／又は異周波数）の時間基準とすることができる。測定対象は、ＬＴＥ又はＮＲの異なる仕様のＲＡＴによって設定される。なお、ネットワーク側は、ｓｅｒｖｉｎｇ  ｆｒｅｑｕｅｎｃｙ（サービング周波数）とは同一の周波数の測定対象に対しこの同期指示情報を設定してもよいし、ｓｅｒｖｉｎｇ  ｆｒｅｑｕｅｎｃｙとは異なる周波数のＭＯに対しこの同期指示情報を設定してもよい。
【００３４】
本開示の実施例において、選択可能に、ネットワーク側によって設定される１つ又は複数のサービングセルの設定方式は、ネットワーク側によって物理セル識別子（ＰＣＩ）及び周波数ポイントで指示される１つ又は複数のサービングセル、ネットワーク側によってセルインデックス（ｃｅｌｌ  ｉｎｄｅｘ）で指示される１つ又は複数のサービングセル、及び、ネットワーク側によってセルグローバル識別子（ＥＣＧＩ）で指示される１つ又は複数のサービングセル、のいずれか１つ又は複数の組み合わせを含む。
【００３５】
本開示の実施例において、選択可能に、ネットワーク側によって設定される１つ又は複数の特別セルＳｐＣｅｌｌの設定方式は、ネットワーク側によってデフォルトにされるプライマリセル（ＰＣｅｌｌ）及び／又はプライマリセカンダリセル（ＰＳＣｅｌｌ）、ネットワーク側によって設定されるＰＣｅｌｌ及び／又はＰＳＣｅｌｌ、ネットワーク側によってＰＣＩ及び周波数ポイントで指示されるＰＣｅｌｌ及び／又はＰＳＣｅｌｌ、ネットワーク側によってｃｅｌｌ  ｉｎｄｅｘで指示されるＰＣｅｌｌ及び／又はＰＳＣｅｌｌ、及び、ネットワーク側によってＥＣＧＩで指示されるＰＣｅｌｌ及び／又はＰＳＣｅｌｌ、のいずれか１つ又は複数の組み合わせを含む。
【００３６】
本開示の実施例において、選択可能に、セルリストのうちのセルの設定方式は、ネットワーク側によってＰＣＩ及び周波数ポイントで指示されるサービングセル、ネットワーク側によってｃｅｌｌ  ｉｎｄｅｘで指示されるサービングセル、ネットワーク側によってＥＣＧＩで指示されるサービングセル、ネットワーク側によってデフォルトされるプライマリセルＰＣｅｌｌ及び／又はプライマリセカンダリセルＰＳＣｅｌｌ、及び、ネットワーク側によって設定されるプライマリセルＰＣｅｌｌ及び／又はプライマリセカンダリセルＰＳＣｅｌｌ、のいずれか１つ又は複数の組み合わせを含む。
【００３７】
本開示の実施例において、選択可能に、周波数リストのうち参照可能な周波数又は周波数グループの中心周波数ポイントをリストする。
【００３８】
本開示の実施例において、選択可能に、周波数リストは、測定対象（ＭＯ）に設定されず、ほかの専有シグナリングの中のフィールドによって設定され、すなわち、ほかの専有シグナリングでフィールドの設定が行われる。
【００３９】
このように、隣接セルの時間基準となる１つ又は複数のサービングセルを同期指示情報で指示することにより、ＵＥは、この同期指示情報に基づいて、対応するサービングセルの時間を隣接セルの時間基準とすることができ、隣接セルとサービングセルとが同期指示されるか否かについての明確な指定が実現され、ＵＥがブラインド検出なしに隣接セルを測定することが容易となり、ＵＥの消費電力が節約される。
【００４０】
図３を参照し、本開示の実施例の同期指示方法のフローが示されている。この方法の実行主体は、ネットワーク側機器であり、具体的なステップは、以下の通りである。ステップ３０１において、隣接セルの時間基準となる１つ又は複数のサービングセルを指示する同期指示情報をＵＥに送信する。
【００４１】
例えば、ステップ３０１において、この同期指示情報を含むブロードキャストメッセージをＵＥに送信し、又は、同期指示情報を含む専有シグナリングをＵＥに送信する。
【００４２】
本開示の実施例において、選択可能に、同期指示情報は、同期指示、及び、時間基準となるサービングセルに対応する情報を含む。
【００４３】
本開示の実施例において、選択可能に、隣接セルの時間基準となる１つ又は複数のサービングセルは、ネットワーク側によって設定される１つ又は複数のサービングセル、ネットワーク側によって設定される１つ又は複数の特別セル（ＳｐＣｅｌｌ）、ネットワーク側によって設定されるセルリスト内の１つ又は複数のセル、周波数リスト内の周波数又は周波数グループに対応するセル、及び、測定対象（Ｍｅａｓｕｒｅｍｅｎｔ  Ｏｂｊｅｃｔ：ＭＯ）に設定される参照サービングセル、のいずれか１つ又は複数の組み合わせである。このＭＯに設定される参照サービングセルは、このサービングセルのＲＡＴ仕様とは同一である全てのセル（同一周波数及び／又は異周波数）の時間基準とすることができる。測定対象は、ＬＴＥ又はＮＲの異なる仕様のＲＡＴによって設定される。
【００４４】
なお、ネットワーク側は、サービング周波数（ｓｅｒｖｉｎｇ  ｆｒｅｑｕｅｎｃｙ）とは同一の周波数の測定対象に対しこの同期指示情報を設定し、又は、サービング周波数とは異なる周波数の測定対象に対しこの同期指示情報を設定する。
【００４５】
本開示の実施例において、選択可能に、ネットワーク側によって設定される１つ又は複数のサービングセルの設定方式は、ネットワーク側によって物理セル識別子（ＰＣＩ）及び周波数ポイントで指示される１つ又は複数のサービングセル、ネットワーク側によってセルインデックス（ｃｅｌｌ  ｉｎｄｅｘ）で指示される１つ又は複数のサービングセル、及び、ネットワーク側によってセルグローバル識別子（ＥＣＧＩ）で指示される１つ又は複数のサービングセル、のいずれか１つ又は複数の組み合わせを含む。
【００４６】
本開示の実施例において、選択可能に、ネットワーク側によって設定される１つ又は複数の特別セルＳｐＣｅｌｌの設定方式は、ネットワーク側によってデフォルトにされるプライマリセル（ＰＣｅｌｌ）及び／又はプライマリセカンダリセル（ＰＳＣｅｌｌ）、ネットワーク側によって設定されるＰＣｅｌｌ及び／又はＰＳＣｅｌｌ、ネットワーク側によってＰＣＩ及び周波数ポイントで指示されるＰＣｅｌｌ及び／又はＰＳＣｅｌｌ、ネットワーク側によってｃｅｌｌ  ｉｎｄｅｘで指示されるＰＣｅｌｌ及び／又はＰＳＣｅｌｌ、及び、ネットワーク側によってＥＣＧＩで指示されるＰＣｅｌｌ及び／又はＰＳＣｅｌｌ、のいずれか１つ又は複数の組み合わせを含む。
【００４７】
本開示の実施例において、選択可能に、セルリストのうちのセルの設定方式は、ネットワーク側によってＰＣＩ及び周波数ポイントで指示されるサービングセル、ネットワーク側によってｃｅｌｌ  ｉｎｄｅｘで指示されるサービングセル、ネットワーク側によってＥＣＧＩで指示されるサービングセル、ネットワーク側によってデフォルトされるプライマリセルＰＣｅｌｌ及び／又はプライマリセカンダリセルＰＳＣｅｌｌ、及び、ネットワーク側によって設定されるプライマリセルＰＣｅｌｌ及び／又はプライマリセカンダリセルＰＳＣｅｌｌ、のいずれか１つ又は複数の組み合わせを含む。
【００４８】
本開示の実施例において、選択可能に、周波数リストのうち参照可能な周波数又は周波数グループの中心周波数ポイントをリストする。
【００４９】
本開示の実施例において、選択可能に、周波数リストは、測定対象（ＭＯ）に設定されず、ほかの専有シグナリングの中のフィールドによって設定され、すなわちほかの専有シグナリングでフィールドの設定が行われる。
【００５０】
このように、隣接セルの時間基準となる１つ又は複数のサービングセルを同期指示情報で指示することにより、ＵＥは、この同期指示情報に基づいて、対応するサービングセルの時間を隣接セルの時間基準とすることができ、隣接セルとサービングセルとが同期指示されるか否かについての明確な指定が実現され、ＵＥがブラインド検出なしに隣接セルを測定することが容易となり、ＵＥの消費電力が節約される。
【００５１】
本開示の実施例において、ユーザ機器を更に提供するが、ユーザ機器により問題を解決する原理が本開示の実施例における同期指示方法に似るため、このユーザ機器の実施について、方法の実施を参照されたく、重複なところを繰り返して記載しない。
【００５２】
図４を参照し、本開示の実施例におけるユーザ機器の構造が示されている。このユーザ機器４００は、隣接セルの時間基準となる１つ又は複数のサービングセルを指示する同期指示情報をネットワーク側から受信するための受信モジュール４０１と、前記同期指示情報に基づいて、対応するサービングセルの時間を、隣接セルの時間基準とするための処理モジュール４０２とを含む。選択可能に、前記同期指示情報は、同期指示、及び、時間基準となるサービングセルに対応する情報を含む。
【００５３】
本開示の実施例において、選択可能に、受信モジュール４０１は、更に、前記同期指示情報を含むブロードキャストメッセージをネットワーク側から受信することに用いられる。前記処理モジュール４０２は、更に、同期指示情報がＴｒｕｅを指示する場合、現在のサービングセル又はネットワーク側によって設定されたサービングセルを、ブロードキャストメッセージを受信する周波数ポイントである現在の周波数ポイントの隣接セルの時間基準とすることに用いられる。
【００５４】
本開示の実施例において、選択可能に、同期指示情報は、ｕｓｅＳｅｒｖｉｎｇＣｅｌｌＴｉｍｉｎｇＦｏｒＳｙｎｃフィールド又はほかの同期指示情報フィールドである。
【００５５】
本開示の実施例において、選択可能に、受信モジュール４０１は、更に、この同期指示情報を含む専有シグナリングをネットワーク側から受信することに用いられる。処理モジュール４０２は、更に、同期指示情報がＴｒｕｅを指示する場合、ネットワーク側によって設定されたサービングセルを、現在のネットワーク側によって設定された測定対象周波数ポイントの全て又は一部の隣接セルの時間基準とすることに用いられる。更に、同期指示情報は、ｕｓｅＳｅｒｖｉｎｇＣｅｌｌＴｉｍｉｎｇＦｏｒＳｙｎｃフィールド又はほかの同期指示情報フィールドである。
【００５６】
本開示の実施例において、選択可能に、隣接セルの時間基準となる１つ又は複数のサービングセルは、ネットワーク側によって設定される１つ又は複数のサービングセル、ネットワーク側によって設定される１つ又は複数の特別セル（ＳｐＣｅｌｌ）、ネットワーク側によって設定されるセルリスト内の１つ又は複数のセル、周波数リスト内の周波数又は周波数グループに対応するセル、及び、測定対象ＭＯに設定される参照サービングセル、のいずれか１つ又は複数の組み合わせである。このＭＯに設定される参照サービングセルは、このサービングセルのＲＡＴ仕様とは同一である全てのセル（同一周波数及び／又は異周波数）の時間基準とすることができる。
【００５７】
本開示の実施例において、選択可能に、ネットワーク側によって設定される１つ又は複数のサービングセルの設定方式は、ネットワーク側によって物理セル識別子（ＰＣＩ）及び周波数ポイントで指示される１つ又は複数のサービングセル、ネットワーク側によってセルインデックス（ｃｅｌｌ  ｉｎｄｅｘ）で指示される１つ又は複数のサービングセル、及び、ネットワーク側によってセルグローバル識別子（ＥＣＧＩ）で指示される１つ又は複数のサービングセル、のいずれか１つ又は複数の組み合わせを含む。
【００５８】
本開示の実施例において、選択可能に、ネットワーク側によって設定される１つ又は複数の特別セル（ＳｐＣｅｌｌ）の設定方式は、ネットワーク側によってデフォルトにされるプライマリセル（ＰＣｅｌｌ）及び／又はプライマリセカンダリセル（ＰＳＣｅｌｌ）、ネットワーク側によって設定されるＰＣｅｌｌ及び／又はＰＳＣｅｌｌ、ネットワーク側によってＰＣＩ及び周波数ポイントで指示されるＰＣｅｌｌ及び／又はＰＳＣｅｌｌ、ネットワーク側によってｃｅｌｌ  ｉｎｄｅｘで指示されるＰＣｅｌｌ及び／又はＰＳＣｅｌｌ、及び、ネットワーク側によってＥＣＧＩで指示されるＰＣｅｌｌ及び／又はＰＳＣｅｌｌ、のいずれか１つ又は複数の組み合わせを含む。
【００５９】
本開示の実施例において、選択可能に、前記のセルリストのうちのセルの設定方式は、ネットワーク側によってＰＣＩ及び周波数ポイントで指示されるサービングセル、ネットワーク側によってｃｅｌｌ  ｉｎｄｅｘで指示されるサービングセル、ネットワーク側によってＥＣＧＩで指示されるサービングセル、ネットワーク側によってデフォルトされるプライマリセルＰＣｅｌｌ及び／又はプライマリセカンダリセルＰＳＣｅｌｌ、及び、ネットワーク側によって設定されるプライマリセルＰＣｅｌｌ及び／又はプライマリセカンダリセルＰＳＣｅｌｌ、のいずれか１つ又は複数の組み合わせを含む。
【００６０】
本開示の実施例において、選択可能に、周波数リストのうち参照可能な周波数又は周波数グループの中心周波数ポイントをリストする。
【００６１】
本開示の実施例において、選択可能に、周波数リストは、測定対象で設定されず、ほかの専有シグナリングの中のフィールドによって設定される。
【００６２】
本開示の実施例におけるユーザ機器は、上記の方法実施例を実行可能であり、その実現の原理及び技術的な効果が類似であるため、本実施例においてこれについて繰り返して記載しない。
【００６３】
本開示の実施例において、ネットワーク側機器を更に提供するが、ネットワーク側機器により問題を解決する原理が本開示の実施例における同期指示方法に似るため、このネットワーク側機器の実施について、方法の実施を参照されたく、重複なところを繰り返して記載しない。
【００６４】
図５を参照し、本開示の実施例におけるネットワーク側機器の構造図が示されている。このネットワーク側機器５００は、隣接セルの時間基準となる１つ又は複数のサービングセルを指示する同期指示情報をユーザ機器に送信するための送信モジュール５０１を含む。選択可能に、前記同期指示情報は、同期指示、及び、時間基準となるサービングセルに対応する情報を含む。
【００６５】
本開示の実施例において、選択可能に、送信モジュール５０１は、更に、前記同期指示情報を含むブロードキャストメッセージをユーザ機器に送信すること、又は、前記同期指示情報を含む専有シグナリングを前記ユーザ機器に送信することに用いられる。
【００６６】
本開示の実施例において、選択可能に、隣接セルの時間基準となる１つ又は複数のサービングセルは、ネットワーク側によって設定される１つ又は複数のサービングセル、ネットワーク側によって設定される１つ又は複数の特別セル（ＳｐＣｅｌｌ）、ネットワーク側によって設定されるセルリスト内の１つ又は複数のセル、周波数リスト内の周波数又は周波数グループに対応するセル、及び、測定対象（ＭＯ）に設定される参照サービングセル、のいずれか１つ又は複数の組み合わせである。このＭＯに設定される参照サービングセルは、このサービングセルのＲＡＴ仕様とは同一である全てのセル（同一周波数及び／又は異周波数）の時間基準とすることができる。
【００６７】
本開示の実施例において、選択可能に、ネットワーク側によって設定される１つ又は複数のサービングセルの設定方式は、前記ネットワーク側によって物理セル識別子（ＰＣＩ）及び周波数ポイントで指示される１つ又は複数のサービングセル、前記ネットワーク側によってセルインデックス（ｃｅｌｌ  ｉｎｄｅｘ）で指示される１つ又は複数のサービングセル、及び、前記ネットワーク側によってセルグローバル識別子（ＥＣＧＩ）で指示される１つ又は複数のサービングセル、のいずれか１つ又は複数の組み合わせを含む。
【００６８】
本開示の実施例において、選択可能に、ネットワーク側によって設定される１つ又は複数の特別セル（ＳｐＣｅｌｌ）の設定方式は、ネットワーク側によってデフォルトにされるプライマリセル（ＰＣｅｌｌ）及び／又はプライマリセカンダリセル（ＰＳＣｅｌｌ）、ネットワーク側によって設定されるＰＣｅｌｌ及び／又はＰＳＣｅｌｌ、ネットワーク側によってＰＣＩ及び周波数ポイントで指示されるＰＣｅｌｌ及び／又はＰＳＣｅｌｌ、ネットワーク側によってｃｅｌｌ  ｉｎｄｅｘで指示されるＰＣｅｌｌ及び／又はＰＳＣｅｌｌ、及び、ネットワーク側によってＥＣＧＩで指示されるＰＣｅｌｌ及び／又はＰＳＣｅｌｌ、のいずれか１つ又は複数の組み合わせを含む。
【００６９】
本開示の実施例において、選択可能に、前記のセルリストのうちのセルの設定方式は、ネットワーク側によってＰＣＩ及び周波数ポイントで指示されるサービングセル、ネットワーク側によってｃｅｌｌ  ｉｎｄｅｘで指示されるサービングセル、ネットワーク側によってＥＣＧＩで指示されるサービングセル、ネットワーク側によってデフォルトされるプライマリセルＰＣｅｌｌ及び／又はプライマリセカンダリセルＰＳＣｅｌｌ、及び、ネットワーク側によって設定されるプライマリセルＰＣｅｌｌ及び／又はプライマリセカンダリセルＰＳＣｅｌｌ、のいずれか１つ又は複数の組み合わせを含む。
【００７０】
本開示の実施例において、選択可能に、周波数リストのうち参照可能な周波数又は周波数グループの中心周波数ポイントをリストする。
【００７１】
本開示の実施例において、選択可能に、周波数リストは、測定対象で設定されず、ほかの専有シグナリングの中のフィールドによって設定される。
【００７２】
本開示の実施例におけるネットワーク側機器は、上記の方法実施例を実行可能であり、その実現の原理及び技術的な効果が類似であるため、本実施例においてこれについて繰り返して記載しない。
【００７３】
図６に示すように、図６に示されているユーザ機器６００は、少なくとも１つのプロセッサ６０１と、メモリ６０２と、少なくとも１つのネットワークインタフェース６０４と、ユーザインタフェース６０３を含む。ユーザ機器６００における各構成部品は、バスシステム６０５を介して結合される。バスシステム６０５は、これらの構成部品の間の接続と通信に用いられることが理解できる。バスシステム６０５は、データバスのほかに、電源バス、制御バス及び状態信号バスを更に含む。ただし、明確に説明するために、図６において、各種類のバスを全てバスシステム６０５として標記している。
【００７４】
ここで、ユーザインタフェース６０３は、ディスプレイ、キーボード又はポインティングデバイス（たとえばマウス、トラックボール（ｔｒａｃｋ  ｂａｌｌ））、タッチパネル又はタッチスクリーンなどを含む。
【００７５】
本開示の実施例におけるメモリ６０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ６０２は、これらに限られず、これら及びこれら以外の任意の適合する種類のメモリを含むものとする。
【００７６】
一部実施例において、メモリ６０２には、実行可能なモジュール又はデータ構造、又はそれらのサブセット、又は、それらの拡張セットであるオペレーションシステム６０２１とアプリケーションプログラム６０２２が記憶されている。
【００７７】
ここで、オペレーションシステム６０２１は、フレーム層、コアライブラリ層、駆動層など各種類のシステムプログラムを含み、各種類のベーシックサービスの実現及びハードウェアに基づくタスクの処理に用いられる。アプリケーションプログラム６０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム６０２２に含まれる。
【００７８】
本開示の実施例において、メモリ６０２に保存されているプログラム又は指令を呼び出し、具体的に、アプリケーションプログラム６０２２に保存されているプログラム又は指令を呼び出して実行することによって、隣接セルの時間基準となる１つ又は複数のサービングセルを指示する同期指示情報をネットワーク側から受信するステップと、前記同期指示情報に基づいて、対応するサービングセルの時間を、隣接セルの時間基準とするステップとを実現する。
【００７９】
本開示の実施例におけるユーザ機器は、上記の方法実施例を実行可能であり、その実現の原理及び技術的な効果が似るため、本実施例においてこれについて繰り返して記載しない。
【００８０】
図７を参照し、図７は、本開示の実施例に応用されるネットワーク側機器の構造図である。図７に示すように、ネットワーク側機器７００は、プロセッサ７０１と、トランシーバ７０２と、メモリ７０３と、バスインタフェースを含む。本開示の実施例において、ネットワーク側機器７００は、メモリ７０３に記憶され、プロセッサ７０１で動作するコンピュータプログラムとを更に含む。コンピュータプログラムがプロセッサ７０１によって実行されると、隣接セルの時間基準となる１つ又は複数のサービングセルを指示する同期指示情報をユーザ機器に送信するステップが実現される。
【００８１】
図７において、バスアーキテクチャは、任意数の相互接続するバスとブリッジを含み、具体的に、プロセッサ７０１をはじめとする１つ又は複数のプロセッサとメモリ７０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７０２は、複数の部品であってもよく、即ち送信機と受信機を含み、伝送媒体でほかの各種類の装置と通信するユニットとして提供される。
【００８２】
プロセッサ７０１は、バスアーキテクチャと通常の処理を管理する。メモリ７０３は、プロセッサ７０１による作業時に使用されるデータを記憶できる。
【００８３】
本開示の実施例におけるネットワーク側機器は、上記の方法実施例を実行可能であり、その実現の原理及び技術的な効果が似るため、本実施例においてこれについて繰り返して記載しない。
【００８４】
本開示の開示内容と関連付けて記載した方法又はアルゴリズムのステップは、ハードウェアの方式で実現されてもよく、プロセッサでソフトウェア指令を実行する方式で実現されてもよい。ソフトウェア指令は、対応するソフトウェアモジュールで構成される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスク又は本分野で周知されているあらゆる形式の記憶媒体に位置する。例示的な記憶媒体は、プロセッサに結合される。よって、プロセッサは、当該記憶媒体から情報を読み取り、かつ当該記憶媒体に情報を書き込むことができる。もちろん、記憶媒体は、プロセッサの構成部分であってもよい。プロセッサと記憶媒体は、ＡＳＩＣに位置してもよい。また、当該ＡＳＩＣは、コアネットワークインタフェース機器に位置ししてもよい。もちろん、プロセッサと記憶媒体は、分離構成としてコアネットワークインタフェース機器に位置してもよい。
【００８５】
上記の１つ又は複数の例において、本開示に記載の機能がハードウェア、ソフトウェア、ファームウェア又はそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つ又は複数の指令又はコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用又は特殊用途向けのコンピュータによってアクセス可能なあらゆる利用可能な媒体である。
【００８６】
以上に記載した具体的な実施形態によって、本開示の目的、技術手段及び効果をさらなる詳細な説明をした。なお、以上の記載は、本開示の具体的な実施形態に過ぎず、本開示の保護範囲を限定するためのものではない。本開示の技術手段を基に為したあらゆる修正、均等置換及び改良などは、全て本開示の保護範囲に含まれるべきである。
【００８７】
本開示の実施例が、方法、システム、又はコンピュータプログラム製品として提供できることは、当業者には理解されよう。したがって、本開示の実施例は、完全なハードウェア実施例、完全なソフトウェア実施例、又はソフトウェアとハードウェアを組み合わせた実施例の形態を採用できる。更に、本開示の実施例は、コンピュータ使用可能プログラムコードを含む１つ又は複数のコンピュータ使用可能記憶媒体（磁気ディスクメモリ、読み取り専用光ディスクＣＤ−ＲＯＭ（Ｃｏｍｐａｃｔ  Ｄｉｓｃ  Ｒｅａｄ−Ｏｎｌｙ  Ｍｅｍｏｒｙ）、光学メモリなどを含むが、それに限られない）で実施されるコンピュータプログラム製品の形態を採用できる。
【００８８】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【００８９】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【００９０】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【００９１】
明らかに、当業者は、本開示の精神や範囲を逸脱せずに、本開示に対して様々な変更や変形をすることができる。このように、本開示のこれらの修正や変形が本開示の請求項及びその同等の技術範囲に含まれるものであれば、本開示は、これらの変更や変形を含むことを意図とする。
【図１】
2021519003.tif 000003
【図２】
2021519003.tif 000004
【図３】
2021519003.tif 000005
【図４】
2021519003.tif 000006
【図５】
2021519003.tif 000007
【図６】
2021519003.tif 000008
【図７】
2021519003.tif 000009
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
ユーザ機器に応用される同期指示方法において、
隣接セルの時間基準となる１つ又は複数のサービングセルを指示する同期指示情報をネットワーク側から受信することと、
前記同期指示情報に基づいて、対応するサービングセルの時間を、隣接セルの時間基準とすることとを含む、同期指示方法。
【請求項２】
前記の同期指示情報をネットワーク側から受信することは、
前記同期指示情報を含むブロードキャストメッセージを前記ネットワーク側から受信することを含み、
前記の前記同期指示情報に基づいて、対応するサービングセルの時間を、隣接セルの時間基準とすることは、
前記同期指示情報がＴｒｕｅを指示する場合、現在のサービングセル又はネットワーク側によって設定されたサービングセルを、前記ブロードキャストメッセージを受信する周波数ポイントである現在の周波数ポイントの隣接セルの時間基準とすることを含む、請求項１に記載の方法。
【請求項３】
前記の同期指示情報をネットワーク側から受信することは、
前記同期指示情報を含む専有シグナリングを前記ネットワーク側から受信することを含み、
前記の前記同期指示情報に基づいて、対応するサービングセルの時間を、隣接セルの時間基準とすることは、
前記同期指示情報がＴｒｕｅを指示する場合、ネットワーク側によって設定されたサービングセルを、現在のネットワーク側によって設定された測定対象周波数ポイントの全て又は一部の隣接セルの時間基準とすることを含む、請求項１に記載の方法。
【請求項４】
前記同期指示情報は、サービングセル利用時間同期ｕｓｅＳｅｒｖｉｎｇＣｅｌｌＴｉｍｉｎｇＦｏｒＳｙｎｃフィールド又はほかの同期指示情報フィールドである、請求項２又は３に記載の方法。
【請求項５】
前記の隣接セルの時間基準となる１つ又は複数のサービングセルは、
ネットワーク側によって設定される１つ又は複数のサービングセル、ネットワーク側によって設定される１つ又は複数の特別セルＳｐＣｅｌｌ、ネットワーク側によって設定されるセルリスト内の１つ又は複数のセル、周波数リスト内の周波数又は周波数グループに対応するセル、及び、測定対象ＭＯに設定される参照サービングセル、のいずれか１つ又は複数の組み合わせである、請求項１に記載の方法。
【請求項６】
前記のネットワーク側によって設定される１つ又は複数のサービングセルの設定方式は、
ネットワーク側によって物理セル識別子ＰＣＩ及び周波数ポイントで指示される１つ又は複数のサービングセル、ネットワーク側によってセルインデックスｃｅｌｌ  ｉｎｄｅｘで指示される１つ又は複数のサービングセル、及び、ネットワーク側によってセルグローバル識別子ＥＣＧＩで指示される１つ又は複数のサービングセル、のいずれか１つ又は複数の組み合わせを含み、
前記のネットワーク側によって設定される１つ又は複数の特別セルＳｐＣｅｌｌの設定方式は、
ネットワーク側によってデフォルトにされるプライマリセルＰＣｅｌｌ及び／又はプライマリセカンダリセルＰＳＣｅｌｌ、ネットワーク側によって設定されるＰＣｅｌｌ及び／又はＰＳＣｅｌｌ、ネットワーク側によってＰＣＩ及び周波数ポイントで指示されるＰＣｅｌｌ及び／又はＰＳＣｅｌｌ、ネットワーク側によってｃｅｌｌ  ｉｎｄｅｘで指示されるＰＣｅｌｌ及び／又はＰＳＣｅｌｌ、及び、ネットワーク側によってＥＣＧＩで指示されるＰＣｅｌｌ及び／又はＰＳＣｅｌｌ、のいずれか１つ又は複数の組み合わせを含み、
または、
前記のセルリストのうちのセルの設定方式は、
ネットワーク側によってＰＣＩ及び周波数ポイントで指示されるサービングセル、ネットワーク側によってｃｅｌｌ  ｉｎｄｅｘで指示されるサービングセル、ネットワーク側によってＥＣＧＩで指示されるサービングセル、ネットワーク側によってデフォルトされるプライマリセルＰＣｅｌｌ及び／又はプライマリセカンダリセルＰＳＣｅｌｌ、及び、ネットワーク側によって設定されるプライマリセルＰＣｅｌｌ及び／又はプライマリセカンダリセルＰＳＣｅｌｌ、のいずれか１つ又は複数の組み合わせを含む、請求項５に記載の方法。
【請求項７】
前記周波数リストのうち参照可能な周波数又は周波数グループの中心周波数ポイントをリストする、請求項５に記載の方法。
【請求項８】
前記同期指示情報は、同期指示、及び、時間基準となるサービングセルに対応する情報を含む、請求項１〜７のいずれか１項に記載の方法。
【請求項９】
ネットワーク側機器に応用される同期指示方法において、
隣接セルの時間基準となる１つ又は複数のサービングセルを指示する同期指示情報をユーザ機器に送信することを含む、同期指示方法。
【請求項１０】
前記の同期指示情報をＵＥに送信することは、
前記同期指示情報を含むブロードキャストメッセージを前記ユーザ機器に送信すること、又は、前記同期指示情報を含む専有シグナリングを前記ユーザ機器に送信することを含み、
前記同期指示情報は、サービングセル利用時間同期ｕｓｅＳｅｒｖｉｎｇＣｅｌｌＴｉｍｉｎｇＦｏｒＳｙｎｃフィールド又はほかの同期指示情報フィールドである、請求項９に記載の方法。
【請求項１１】
前記の隣接セルの時間基準となる１つ又は複数のサービングセルは、
ネットワーク側によって設定される１つ又は複数のサービングセル、ネットワーク側によって設定される１つ又は複数の特別セルＳｐＣｅｌｌ、ネットワーク側によって設定されるセルリスト内の１つ又は複数のセル、周波数リスト内の周波数又は周波数グループに対応するセル、及び、測定対象ＭＯに設定される参照サービングセル、のいずれか１つ又は複数の組み合わせである、請求項９に記載の方法。
【請求項１２】
前記のネットワーク側によって設定される１つ又は複数のサービングセルの設定方式は、
前記ネットワーク側によって物理セル識別子ＰＣＩ及び周波数ポイントで指示される１つ又は複数のサービングセル、前記ネットワーク側によってセルインデックスｃｅｌｌ  ｉｎｄｅｘで指示される１つ又は複数のサービングセル、及び、前記ネットワーク側によってセルグローバル識別子ＥＣＧＩで指示される１つ又は複数のサービングセル、のいずれか１つ又は複数の組み合わせを含み、
前記のネットワーク側によって設定される１つ又は複数の特別セルＳｐＣｅｌｌの設定方式は、
前記ネットワーク側によってデフォルトにされるプライマリセルＰＣｅｌｌ及び／又はプライマリセカンダリセルＰＳＣｅｌｌ、前記ネットワーク側によって設定されるＰＣｅｌｌ及び／又はＰＳＣｅｌｌ、前記ネットワーク側によってＰＣＩ及び周波数ポイントで指示されるＰＣｅｌｌ及び／又はＰＳＣｅｌｌ、前記ネットワーク側によってｃｅｌｌ  ｉｎｄｅｘで指示されるＰＣｅｌｌ及び／又はＰＳＣｅｌｌ、及び、前記ネットワーク側によってＥＣＧＩで指示されるＰＣｅｌｌ及び／又はＰＳＣｅｌｌ、のいずれか１つ又は複数の組み合わせを含み、または、
前記のセルリストのうちのセルの設定方式は、
前記ネットワーク側によってＰＣＩ及び周波数ポイントで指示されるサービングセル、前記ネットワーク側によってｃｅｌｌ  ｉｎｄｅｘで指示されるサービングセル、前記ネットワーク側によってＥＣＧＩで指示されるサービングセル、前記ネットワーク側によってデフォルトされるプライマリセルＰＣｅｌｌ及び／又はプライマリセカンダリセルＰＳＣｅｌｌ、及び、前記ネットワーク側によって設定されるプライマリセルＰＣｅｌｌ及び／又はプライマリセカンダリセルＰＳＣｅｌｌ、のいずれか１つ又は複数の組み合わせを含む、請求項１１に記載の方法。
【請求項１３】
前記同期指示情報は、同期指示、及び、時間基準となるサービングセルに対応する情報を含む、請求項９〜１２のいずれか１項に記載の方法。
【請求項１４】
隣接セルの時間基準となる１つ又は複数のサービングセルを指示する同期指示情報をネットワーク側から受信するための受信モジュールと、
前記同期指示情報に基づいて、対応するサービングセルの時間を、隣接セルの時間基準とするための処理モジュールとを含む、ユーザ機器。
【請求項１５】
隣接セルの時間基準となる１つ又は複数のサービングセルを指示する同期指示情報をユーザ機器に送信するための送信モジュールを含む、ネットワーク側機器。
【国際調査報告】
2021519003.tif 000010
2021519003.tif 000011
2021519003.tif 000012
2021519003.tif 000013